(57)【要約】【課題】  キー操作による運動情報パターンをスイッチ本体の検出機構で検出することにより、認証動作を行うことができるキースイッチを提供する。【解決手段】  キースイッチにおいて、円柱形状のキー６と、検出機構９を備えたスイッチ本体１とからなり、前記スイッチ本体１に形成された挿入孔３に対して前記円柱形状のキー６を操作することによって入力される運動情報パターンを前記検出機構９で検出し、認証を行う。【選択図】  図１
2011204561.tif 000002
【特許請求の範囲】
【請求項１】
キーと、検出機構を備えたスイッチ本体とからなり、前記スイッチ本体に形成された挿入孔に対する前記キーの操作によって変化する信号を読み取ることで取得される運動情報パターンを前記検出機構で検出し、認証を行うことを特徴とするキースイッチ。
【請求項２】
請求項１記載のキースイッチにおいて、前記検出機構が光センサであることを特徴とするキースイッチ。
【請求項３】
請求項１記載のキースイッチにおいて、前記検出機構が磁気センサであることを特徴とするキースイッチ。
【請求項４】
請求項１記載のキースイッチにおいて、前記キーが円柱形状に形成されたことを特徴とするキースイッチ。
【請求項５】
請求項１記載のキースイッチにおいて、前記キー及び前記スイッチ本体にクリック機構を備えたことを特徴とするキースイッチ。
【請求項６】
請求項１記載のキースイッチにおいて、前記スイッチ本体に状態報知装置を具備することを特徴とするキースイッチ。
【請求項７】
請求項１記載のキースイッチにおいて、前記挿入孔に対する前記キーの挿入及び抜き取り操作を行うことにより、前記運動情報パターンを入力することを特徴とするキースイッチ。
【請求項８】
請求項１記載のキースイッチにおいて、前記挿入孔に対する前記キーの回転操作を行うことにより、前記運動情報パターンを入力することを特徴とするキースイッチ。
【請求項９】
請求項１記載のキースイッチにおいて、前記挿入孔に対する前記キーの挿入、回転、及び抜き取りの複数の操作を組み合わせた複合操作を行うことにより、前記運動情報パターンを入力することを特徴とするキースイッチ。
【請求項１０】
請求項１から９の何れか一項記載のキースイッチにおいて、前記キーに情報パターンが設けられ、前記キーの操作に伴って前記スイッチ本体に対して相対的に移動する前記情報パターンを前記検出機構で読み取ることにより、前記運動情報パターンとして検出し、認証を行うことを特徴とするキースイッチ。
【請求項１１】
請求項１０記載のキースイッチにおいて、前記情報パターンを前記キーの外周面に設けるとともに、前記情報パターンを覆う保護カバーを設けたことを特徴とするキースイッチ。
【請求項１２】
請求項１０記載のキースイッチにおいて、前記キーを円筒形状に形成し、前記情報パターンを、前記キーの空洞部の内面に設けたことを特徴とするキースイッチ。
【請求項１３】
請求項１２記載のキースイッチにおいて、前記空洞部の開口部に蓋を設けたことを特徴とするキースイッチ。
【請求項１４】
請求項１０記載のキースイッチにおいて、前記情報パターンを前記キーによって異なる個別情報パターンとし、前記運動情報パターンに加えて、前記個別情報パターンによる認証を行うことを特徴とするキースイッチ。
【発明の詳細な説明】
【技術分野】
【０００１】
本発明は、キーに記録された情報パターンを検出し、認証動作を行うことができるキースイッチに関するものである。
【背景技術】
【０００２】
従来、固有情報を含んだ固有コードを有するキー（鍵）に対して、キーの固有コードをコード読取装置によって読み取り、メモリに記憶された情報と読み取った固有コードの情報を比較して、一致している場合にシリンダー錠の作動を許容し、一致していない場合にはロック機構により規制し、シリンダー錠の作動を禁止する構成とした開閉体施錠装置（下記特許文献１参照）や、第１のコーディングが第１の励磁装置の第１のインダクタンスの変化を生じさせ、第１のコーディングがキースイッチによって読み取られるキースイッチ（下記特許文献２参照）が既に提案されている。
【先行技術文献】
【特許文献】
【０００３】
【特許文献１】特開２００４−０１９４３０号公報
【特許文献２】特開２００９−２７０４３０号公報
【発明の概要】
【発明が解決しようとする課題】
【０００４】
しかしながら、従来のキースイッチは、キーに備えられた固有の情報を検出して認証するものであるため、キーを複製された場合は、不正に認証が行われてしまうといった問題があった。
本発明は、上記状況に鑑みて、キー操作による運動情報パターンをスイッチ本体の検出機構で検出することにより、認証動作を行うことができるキースイッチを提供することを目的とする。
【課題を解決するための手段】
【０００５】
本発明は、上記目的を達成するために、
〔１〕キースイッチにおいて、キーと、検出機構を備えたスイッチ本体とからなり、前記スイッチ本体に形成された挿入孔に対する前記キーの操作によって変化する信号を読み取ることで取得される運動情報パターンを前記検出機構で検出し、認証を行うことを特徴とする。
【０００６】
〔２〕上記〔１〕記載のキースイッチにおいて、前記検出機構が光センサであることを特徴とする。
〔３〕上記〔１〕記載のキースイッチにおいて、前記検出機構が磁気センサであることを特徴とする。
〔４〕上記〔１〕記載のキースイッチにおいて、前記キーが円柱形状に形成されたことを特徴とする。
【０００７】
〔５〕上記〔１〕記載のキースイッチにおいて、前記キー及び前記スイッチ本体にクリック機構を備えたことを特徴とする。
〔６〕上記〔１〕記載のキースイッチにおいて、前記スイッチ本体に状態報知装置を具備することを特徴とする。
〔７〕上記〔１〕記載のキースイッチにおいて、前記挿入孔に対する前記キーの挿入及び抜き取り操作を行うことにより、前記運動情報パターンを入力することを特徴とする。
【０００８】
〔８〕上記〔１〕記載のキースイッチにおいて、前記挿入孔に対する前記キーの回転操作を行うことにより、前記運動情報パターンを入力することを特徴とする。
〔９〕上記〔１〕記載のキースイッチにおいて、前記挿入孔に対する前記キーの挿入、回転、及び抜き取りの複数の操作を組み合わせた複合操作を行うことにより、前記運動情報パターンを入力することを特徴とする。
【０００９】
〔１０〕上記〔１〕から〔９〕の何れか一項記載のキースイッチにおいて、前記キーに情報パターンが設けられ、前記キーの操作に伴って前記スイッチ本体に対して相対的に移動する前記情報パターンを前記検出機構で読み取ることにより、前記運動情報パターンとして検出し、認証を行うことを特徴とする。
〔１１〕上記〔１０〕記載のキースイッチにおいて、前記情報パターンを前記キーの外周面に設けるとともに、前記情報パターンを覆う保護カバーを設けたことを特徴とする。
【００１０】
〔１２〕上記〔１０〕記載のキースイッチにおいて、前記キーを円筒形状に形成し、前記情報パターンを、前記キーの空洞部の内面に設けたことを特徴とする。
〔１３〕上記〔１２〕記載のキースイッチにおいて、前記空洞部の開口部に蓋を設けたことを特徴とする。
〔１４〕上記〔１０〕記載のキースイッチにおいて、前記情報パターンを前記キーによって異なる個別情報パターンとし、前記運動情報パターンに加えて、前記個別情報パターンによる認証を行うことを特徴とする。
【発明の効果】
【００１１】
本発明によれば、キー操作による運動情報パターンをスイッチ本体の検出機構で検出することにより、認証動作を実施することができる。以下、詳細に説明するが、ここで、運動情報パターンとはキーの操作によって変化する信号の羅列によって構成されるパターン（例えば、後述する図４に示すようなパターン）である。
本発明によれば、より具体的には、以下のような効果を奏することができる。
【００１２】
（１）構造が簡単で、検出が容易である。
（２）キー操作によって運動情報パターンを入力するため、一種類のキーで複数の運動情報パターンが入力することができ、スイッチ本体およびキーの共用化が可能である。
（３）キーの操作による運動情報パターンを検出することによって認証するので、セキュリティ性が高い。つまり、キーを複製されただけでは不正な認証は行われず、また、キーの操作を盗み見られても、なりすましは極めて困難である。
【００１３】
（４）円柱形状のキーとすることにより、スイッチ本体に挿入する際、挿入方向（キーの向き）を気にすることなく、キーを容易に挿入することができる。
（５）運動情報パターンの入力をキーの複数の操作の組み合わせによる複合操作で行うことにより、さらにセキュリティ性の向上を図ることができる。
（６）キーに保護カバーを設けることにより、情報パターンの漏洩を防止することができる。つまり、保護カバーを動かさなければ、情報パターンを盗み見られることはない。また、キーの摩耗による情報パターンの欠落や汚れを防止することができる。
【００１４】
（７）円筒形状のキーの空洞部の内面に情報パターンを設けることにより、情報パターンの漏洩を防止することができる。つまり、空洞部を覗き込まないと情報パターンを目視できない。また、キーの摩耗による情報パターンの欠落や汚れを防止することができる。
（８）円筒形状のキーの空洞部の開口部に蓋を設けることにより、空洞部内への塵埃の侵入や汚れを防止することができる。
【００１５】
（９）操作感（クリック感）を付与するクリック機構を備えることで、キーの操作量（キーの回転角度や挿入・抜き取りの移動量）を明確にすることができる。
（１０）キースイッチの状態確認用の状態報知装置（ＬＥＤ）を設けることにより、認証されたか否かを確認することができる。
【図面の簡単な説明】
【００１６】
【図１】本発明の第１実施例を示すキースイッチの全体斜視図である。
【図２】本発明の第１実施例を示すキースイッチの縦方向断面図である。
【図３】本発明の第１実施例を示す検出機構を示す模式図である。
【図４】本発明の第１実施例を示す検出機構により得られる出力信号の例を示す図である。
【図５】本発明のキースイッチの認証処理フローチャートである。
【図６】本発明の第２実施例を示すキースイッチのキーの斜視図である。
【図７】本発明の第２実施例を示すキースイッチの縦方向断面図である。
【図８】本発明の第３実施例を示すキースイッチのキーの斜視図である。
【図９】本発明の第４実施例を示すキースイッチのキーの斜視図である。
【図１０】本発明の第５実施例を示すキースイッチのキーの斜視図である。
【図１１】本発明の第６実施例を示すキースイッチに移動可能な保護カバーを設けたキーの斜視図である。
【図１２】本発明の第６実施例を示すキースイッチの移動可能な保護カバーを設けたキーの断面図である。
【図１３】本発明の第７実施例を示す円筒形状のキーの斜視図である。
【図１４】本発明の第７実施例を示す円筒形状のキーとスイッチ本体を示す縦方向断面である。
【図１５】本発明の第８実施例を示す蓋を有する円筒形状のキーの斜視図である。
【図１６】本発明の第９実施例を示すクリック機構を備えたキースイッチを示す斜視図である。
【図１７】本発明の第９実施例を示すクリック機構を備えたキースイッチを示す縦方向断面図である。
【図１８】本発明の第９実施例の変形例を示すクリック機構を備えたキースイッチのキーを示す斜視図である。
【図１９】本発明の第１０実施例を示すスイッチ本体の天面にキースイッチの操作確認用の表示装置を有するキースイッチ本体の斜視図である。
【図２０】本発明の第１１実施例を示す状態報知装置を有するキースイッチ本体の挿入孔に接点を設けた接触機構を有するキースイッチの動作説明図である。
【発明を実施するための形態】
【００１７】
本発明のキースイッチは、キーと、検出機構を備えたスイッチ本体とからなり、前記スイッチ本体に形成された挿入孔に対して前記キーを操作することによって入力される運動情報パターンを前記検出機構で検出し、認証を行う。
【実施例】
【００１８】
以下、本発明の実施の形態について詳細に説明する。
図１は本発明の第１実施例を示すキースイッチの全体斜視図、図２はそのキースイッチの縦方向断面図である。
これらの図において、１はスイッチ本体、２はスイッチハウジング、３は挿入孔、４はスイッチ本体１を固定部（図示なし）に取り付けるためのスイッチ取付用ナット、５は外部機器（図示なし）に接続される端子、６は挿入孔３へ挿入される円柱形状のキー、７は円柱形状のキー６の側面に軸方向で形成される情報パターンとしてのバーコード、８はスイッチハウジング２内部に配置されるプリント基板、９はプリント基板８に実装される検出機構（光センサ又は磁気センサ）である。
【００１９】
上記したように、スイッチ本体１は検出機構９を内蔵しており、検出機構９はスイッチ本体１内部に配置されているプリント基板８に実装されている。検出機構９はバーコード７を検出する。端子５はスイッチ本体１に一部が埋設されており、スイッチ本体１の外部機器と接続を行う。スイッチ取付用ナット４はスイッチ本体１の外周面に螺合され、固定部（図示なし）へ取り付けられる。
【００２０】
本発明の動作原理について説明する。
（１）スイッチ本体１の挿入孔３から円柱形状のキー６をスイッチ本体１の内部へ挿入した後、その円柱形状のキー６をスイッチ本体１の内部から抜き取る。
（２）円柱形状のキー６の挿入及び抜き取りによって移動する円柱形状のキー６のバーコード７をスイッチ本体１に内蔵された検出機構９で読み取って、運動情報パターンとして検出し、認証を行う。
【００２１】
その他の実施形態として以下のものが挙げられる。
（１）キーの側面の円周方向にバーコードを設け、キーの回転による運動情報パターンを得て、認証動作を行う。
（２）キーの先端面にバーコードを設け、キーの回転による運動情報パターンを得て、認証動作を行う。
【００２２】
（３）キーの軸方向と円周方向にバーコードを設け、キーの挿入及び抜き取りと回転との複合操作による運動情報パターンを得て、認証動作を行う。
（４）キーの側面の円周方向に三角形の反射部を形成し、キーの回転による運動情報パターンを得て、認証動作を行う。
（５）キーにバーコードを保護する保護カバーを設ける。
【００２３】
（６）円筒形状のキーの空洞部の内面にバーコードを設ける。
（７）円筒形状のキーの空洞部の開口部に蓋を設ける。
（８）キー及びスイッチ本体にクリック感を得ることができるクリック機構を設ける。
（９）スイッチ本体に操作状態を示す表示装置（ＬＥＤ）などを設ける。
（１０）バーコードを磁気情報となし、不可視情報とする。
【００２４】
以下、本発明の具体的実施例について説明する。
図３は本発明の第１実施例を示す検出機構を示す模式図、図４はその検出機構により得られる出力信号の例を示す図である。
これらの図を参照しながらこのキースイッチの検出機構について説明する。
ここでは、検出機構としての光センサ９は発光部としての光源９Ａと受光部としての受光素子９Ｂを備えており、まず、図３（ａ）に示すように、円柱形状のキー６が挿入されて、光源９Ａからの光が挿入された円柱形状のキー６のバーコード７のバー部分７Ａに照射されると、光は吸収されて受光素子９Ｂは受光しない。次に、図３（ｂ）に示すように、円柱形状のキー６がさらに挿入されてバーコード７が移動すると、光源９Ａからの光はバーコード７のスペース部分７Ｂで反射され、受光素子９Ｂで受光されて増幅部１０で増幅され、マイクロコンピュータ１１に取り込まれる。このようにして、円柱形状のキー６が挿入されるときの信号の変化がマイクロコンピュータ１１に取り込まれる。同様に、図３（ｃ）及び図３（ｄ）に示すような、円柱形状のキー６が抜き取られるときの信号の変化もマイクロコンピュータ１１に取り込まれる。
【００２５】
マイクロコンピュータ１１は、アナログ入力ポートとしてのデジタル変換部１２と、デジタル変換部１２に接続され、そのデジタル変換部１２からのデジタル信号のデコードを行い、そのデコード信号と解錠すべき認証コード信号との照会を行うコード処理部１３と、コード処理部１３に接続され、解錠信号を出力するインターフェース部１４とを備えており、マイクロコンピュータ１１に取り込まれた円柱形状のキー６の挿入時及び抜き取り時に変化する信号の羅列による運動情報パターンの信号が、コード処理部１３でデコードされ、そのデコードされた信号と、図４に示すような予め記憶されている認証情報との照会が行われることにより、デコードされた信号と認証情報が一致する場合には解錠信号が出力される。
【００２６】
ここで、本実施例において、図４に示すような認証情報と一致する運動情報パターンを入力するには、円柱形状のキー６を挿入〔出力信号（ａ）に相当〕、抜き取り〔出力信号（ｂ）に相当〕、挿入〔出力信号（ｃ）に相当〕、抜き取り〔出力信号（ｄ）に相当〕といった操作が必要となる。なお、この例における運動情報パターンは、挿入→抜き取り→挿入→抜き取りという操作の順列、挿入と抜き取りの間の時間間隔（ａとｂ、ｂとｃ、ｃとｄそれぞれの時間間隔）や、挿入速度（ａやｃの持続時間）、抜き取り速度（ｂやｄの持続時間）などのパラメータを用いて表すことができる。ただし、パラメータはこれらに限るわけではない。また、コード処理部１３で行うデコードとは、図４に示すような時系列の運動情報パターンを前記パラメータに変換することである。
【００２７】
図５は本発明のキースイッチの認証処理フローチャートである。
（１）まず、このキースイッチシステムの初期設定として、スイッチ本体１に検出された運動情報パターンと照会を行うための認証情報を記憶させておく（ステップＳ１）。
（２）次に、円柱形状のキー９の挿入が検知されたか否かをチェックする（ステップＳ２）。円柱形状のキー９が検知されていなければ、その検知を待つ。
【００２８】
（３）円柱形状のキー９の挿入が検知された場合、円柱形状のキー９の操作から運動情報パターンの読み取りを行う（ステップＳ３）。
（４）上記ステップＳ３で読み取った円柱形状のキー９の運動情報パターンをデコードする（ステップＳ４）。
（５）次に、デコードされた信号が上記ステップで予め記憶されている認証情報と一致するか否かをチェックする（ステップＳ５）。
【００２９】
（６）ステップＳ５において、デコード信号と認証情報が一致すれば、解錠信号１５を出力する（ステップＳ６）。一方、一致しなければ、解錠信号１５を出力せず、エンドとする。
より具体的な第１実施例によると、
（１）まず、このキースイッチシステムの初期設定を行う。
【００３０】
（２）次に、キーのバーコードが検出されたか否かをチェックする。キーのバーコードが検出されていなければ、検出されるのを待つ。
（３）次に、キーの挿入及び抜き取り操作によるバーコードの動きに伴って変化する信号の読み取りを行う。
（４）次に、読み取った信号の羅列による運動情報パターンをデコードする。
【００３１】
（５）次に、デコードされた結果が解錠すべき認証情報と一致するか否かの照会を行う。
（６）上記（５）において、ＹＥＳであれば、解錠信号を出力する。上記（５）において、ＮＯであれば、エンドとする。
図６は本発明の第２実施例を示すキースイッチのキーの斜視図、図７はそのキースイッチの縦方向断面図である。
【００３２】
この実施例では、円柱形状のキー２１の側面に円周方向でバーコード２２を設けるようにしている。そこで、図示しないが、円柱形状のキー２１がスイッチ本体１の挿入孔３に挿入されると、プリント基板２３に実装され、ハウジング２の内面の円周方向に配置された検出機構（センサ）２４によってバーコード２２が読み取られて、その検出機構２４からの情報によってバーコード２２の検出を行う。
【００３３】
更に、この実施例においては、円柱形状のキー２１を回転させることにより、運動情報パターンを得て、認証動作を行わせることができる。
図８は本発明の第３実施例を示すキースイッチのキーの斜視図である。
この実施例では、円柱形状のキー３１の先端面にバーコード３２を設けるようにしている。そこで、円柱形状のキー３１がスイッチハウジング２の挿入孔３に挿入されると、スイッチ本体１の挿入孔３の底面に配置されたプリント基板３３に実装された検出機構（センサ）３４によってバーコード３２が読み取られ、更に、円柱形状のキー３１の回転によって運動情報パターンが得られて認証が行われる。
【００３４】
図９は本発明の第４実施例を示すキースイッチのキーの斜視図である。
この実施例では、円柱形状のキー４１の軸方向に第１のバーコード４２が、円柱形状のキー４１の円周方向に第２のバーコード４３が形成されている。
この実施例によれば、円柱形状のキー４１の挿入及び抜き取りによって第１のバーコード４２が、円柱形状のキー４１の回転によって第２のバーコード４３が読み取られる。
【００３５】
図１０は本発明の第５実施例を示すキースイッチのキーの斜視図である。
この実施例では、円柱形状のキー４５の円周方向に三角形状の反射部４６を形成するようにしている。したがって、円柱形状のキー４５の挿入、抜き取り又は回転により、三角形状の反射部４６による光の反射量が変化するので、その変化量を検出することにより認証を行うことができる。
【００３６】
図１１は本発明の第６実施例を示すキースイッチに移動可能な保護カバーを設けたキーの斜視図、図１２はその保護カバーを設けたキーの断面図であり、図１１（ａ）及び図１２（ａ）はバーコードが保護カバーで覆われている状態を示す図、図１１（ｂ）及び図１２（ｂ）はバーコードが露出している状態を示す図である。
この実施例では、内部にコイルバネ５４を備えた保護カバー５３を有する、バーコード５２が側面に形成された円柱形状のキー５１からなる。そこで、円柱形状のキー５１が使用されない場合には、図１１（ａ）及び図１２（ａ）に示すように、保護カバー５３によって、円柱形状のキー５１のバーコード５２は覆われて外部から見られないようになっている。円柱形状のキー５１がスイッチ本体（図示なし）の挿入孔に挿入されると、保護カバー５３は後退してバーコード５２がスイッチ本体内で露出して、検出機構（センサ）（図示なし）で検出される。また、円柱形状のキー５１がスイッチ本体から引き抜かれると、コイルバネ５４の作用によって保護カバー５３が元の位置に戻って、バーコード５２は再び覆われる。
【００３７】
この実施例によれば、円柱形状のキーに保護カバーを設けることにより、情報パターンの漏洩を防止することができる。また、円柱形状のキーの摩耗による情報パターンの欠落や汚れを防止することができる。
図１３は本発明の第７実施例を示す円筒形状のキーの斜視図であり、図１３（ａ）は円筒形状のキーの外観を示す斜視図、図１３（ｂ）は円筒形状のキーの一部破断斜視図、図１４は円筒形状のキーとスイッチ本体を示す縦方向断面図である。
【００３８】
この実施例では、図１３（ｂ）に示すように、円筒形状のキー６１の空洞部６２の内面に軸方向でバーコード６３を形成するようにしている。そこで、このバーコード６３は、スイッチハウジング２の挿入孔３の奥に配置されているプリント基板６４に実装されるセンサ６５によって読み取られ、円筒形状のキー６１が挿入され抜き取られる時の運動情報パターンによって認証が行われる。
【００３９】
図１５は本発明の第８実施例を示す蓋を有する円筒形状のキーの斜視図であり、図１５（ａ）は蓋を有する円筒形状のキーの外観を示す斜視図、図１５（ｂ）は蓋が閉じている円筒形状のキーの一部破断断面図、図１５（ｃ）は蓋が開いている円筒形状のキーの一部破断断面図である。
この実施例では、円筒形状のキー７１の開口部７２には割りが入った蓋７３が配置されている。図１５（ａ）及び図１５（ｂ）に示すように、円筒形状のキー７１は、使用されていない場合には割りが入った蓋７３が閉じているが、円筒形状のキー７１が図１４に示されるハウジング２内に挿入されると、割りが入った蓋７３がセンサ６５によって押し開かれて、円筒形状のキー７１の空洞部７４に設けられたバーコード７５は、センサ６５によって読み取られる。
【００４０】
図１６は本発明の第９実施例を示すクリック機構を備えたキースイッチを示す斜視図、図１７はそのキースイッチを示す縦方向断面図である。
この実施例では、円柱形状のキー８１には軸方向のバーコード８２とともに、同じく軸方向で凹部８３が形成されている。一方、スイッチ本体１のハウジング２内にはコイルバネ８４でスチールボール８５が外側へ押し出されるように配置されている。円柱形状のキー８１がスイッチ本体１の挿入孔３に挿入されると、スチールボール８５は円柱形状のキー８１によって、その円柱形状のキー８１の挿入を妨げない程度まで外方向に押しやられる。円柱形状のキー８１が、凹部８３とスチールボール８５の位置が一致するまでさらに挿入されると、スチールボール８５がコイルバネ８４の作用によって押し出されて凹部８３に係合する。つまり、凹部８３とスチールボール８５がクリック機構を構成するので、円柱形状のキー８１の挿入時にクリック感を得ることができ、それによって円柱形状のキー８１の軸方向の操作状態を正確に認識することができる。なお、凹部８３は必要に応じて円柱形状のキー８１上の複数箇所に設けることができる。
【００４１】
図１８は本発明の第９実施例の変形例を示すクリック機構を備えたキースイッチのキーを示す斜視図である。
ここでは、円柱形状のキー９１には円周方向のバーコード９２とともに、同じく円周方向で凹部９３が形成されている。よって、円柱形状のキー９１が図１７に示すようなスイッチ本体１の挿入孔３に挿入されると、スチールボール８５は円柱形状のキー９１によって、その円柱形状のキー９１の挿入を妨げない程度まで外方向に押しやられる。円柱形状のキー９１が凹部９３とスチールボール８５の軸方向位置がほぼ一致するまでさらに挿入された後、円柱形状のキー９１が回転すると、スチールボール８５がコイルバネ８４の作用によって押し出されて凹部９３に係合する。それによって、円柱形状のキー９１の回転方向の操作状態を正確に認識することができる。なお、凹部９３は必要に応じて円柱形状のキー９１上の複数箇所に設けることができる。
【００４２】
図１９は本発明の第１０実施例を示すスイッチ本体の天面にキースイッチの操作確認用の表示装置を有するキースイッチ本体の斜視図である。
この図において、１０１はスイッチ本体１の天面、１０２はその天面１０１に配置されたキースイッチの操作確認用の表示装置（例えば、ＬＥＤ）である。
この実施例では、スイッチ本体１の天面１０１にキースイッチの操作確認用の表示装置１０２が設けられており、この表示装置１０２は、例えばキー１０６が挿入されると、表示装置１０２を点灯（例えば、赤色）させることができる。
【００４３】
更に、図３に示した光センサ９及びマイクロコンピュータ１１による解錠信号１５が得られると、表示装置１０２の点灯色が例えば、赤色から緑色へと変色することにより、認証されたかどうかを確認するように構成することができる。
図２０は本発明の第１１実施例を示す状態報知装置を有するスイッチ本体の挿入孔に接点を設けた接触機構を有するキースイッチの動作説明図である。
【００４４】
この図において、１０３はスイッチ本体１の挿入孔３に配置された接点１０３Ａを有する接触機構、１０４はスイッチハウジング２内に配置されるプリント基板、１０５はプリント基板１０４に実装される検出機構（光センサや磁気センサ）、１０６は円柱形状のキー、１０７は円柱形状のキー１０６の軸方向に形成されたバーコード、１１１はスイッチ本体１に設けられる状態報知装置、例えば、表示、音声、音響、振動などによる状態報知装置である。
【００４５】
この実施例では、スイッチハウジング２内に配置されるプリント基板１０４に接続される挿入孔３に設けられる接点１０３Ａを有する接触機構１０３が設けられており、スイッチ本体１の挿入孔３に円柱形状のキー１０６が挿入されると、接触機構１０３の接点１０３Ａがオンして、検出機構１０５が駆動される。よって、キー挿入時にのみ検出機構１０５に通電させることができるので、待機電力の削減を図ることができる。
【００４６】
また、表示、音声、音響、振動などによる状態報知装置１１１により、表示したり、音声を発したり、音響（音楽）を奏でたり、振動を発生させるなどによりキースイッチの状態を報知するように構成することができる。
なお、上記実施例では、検出機構としては主に光センサについて述べたが、これに限定されるものではなく、磁気に感応するバーコードを磁気情報となし、検出機構としての磁気センサにより検出するように構成してもよい。このように、バーコードを磁気情報とすることにより、不可視情報とすることができる利点がある。
【００４７】
また、運動情報パターンを検出するための情報パターンとしてバーコードがキーに備わっている例について説明したが、必ずしもキーに情報パターンが備わっている必要はない。例えば、光学式マウスなどで使われる光学センサを用いれば、情報パターンを備えていないキーであっても、運動情報パターンを取得することが可能である。
また、情報パターンはキー固有の情報を用いて作成することもできる。この場合、スイッチは情報パターンを利用して運動情報パターンを検出し認証するだけでなく、運動情報パターンと情報パターンそのものを読み取ることで得られるキー固有の情報の２つを用いた認証を行うことが可能となる。このように２つの情報を用いて認証を行うことで、より強固な認証が可能になる。
【００４８】
なお、本発明は上記実施例に限定されるものではなく、本発明の趣旨に基づき種々の変形が可能であり、これらを本発明の範囲から排除するものではない。
【産業上の利用可能性】
【００４９】
本発明のキースイッチは、簡単に構成することができ、認証動作を容易に行うことができるキースイッチとして利用可能である。
【符号の説明】
【００５０】
１    スイッチ本体
２    スイッチハウジング
３    挿入孔
４    スイッチ取付用ナット
５    端子
６，２１，３１，４１，４５，５１，８１，９１，１０６    円柱形状のキー
７    情報パターン（バーコード）
７Ａ    バーコードのバー部分
７Ｂ    バーコードのスペース部分
８，２３，３３，６４，１０４    プリント基板
９，２４，３４，６５，１０５    検出機構（光センサ又は磁気センサ）
９Ａ    光源
９Ｂ    受光素子
１０    増幅部
１１    マイクロコンピュータ
１２    デジタル変換部
１３    コード処理部
１４    インターフェース部
２２，３２，５２，６３，７５，８２，９２，１０７    バーコード
４２    第１のバーコード
４３    第２のバーコード
４６    三角形状の反射部
５３    保護カバー
５４，８４    コイルバネ
６１，７１    円筒形状のキー
６２，７４    空洞部
７２    空洞部の開口部
７３    割りが入った蓋
８３    円周方向の凹部
８５    スチールボール
９３    軸方向の凹部
１０１    スイッチ本体の天面
１０２    表示装置（ＬＥＤ）
１０３    接触機構
１０３Ａ    接点
１１１    状態報知装置
【図１】
2011204561.tif 000003
【図２】
2011204561.tif 000004
【図３】
2011204561.tif 000005
【図４】
2011204561.tif 000006
【図５】
2011204561.tif 000007
【図６】
2011204561.tif 000008
【図７】
2011204561.tif 000009
【図８】
2011204561.tif 000010
【図９】
2011204561.tif 000011
【図１０】
2011204561.tif 000012
【図１１】
2011204561.tif 000013
【図１２】
2011204561.tif 000014
【図１３】
2011204561.tif 000015
【図１４】
2011204561.tif 000016
【図１５】
2011204561.tif 000017
【図１６】
2011204561.tif 000018
【図１７】
2011204561.tif 000019
【図１８】
2011204561.tif 000020
【図１９】
2011204561.tif 000021
【図２０】
2011204561.tif 000022